(57)【特許請求の範囲】
【請求項１】
外周に段差を備えた接眼レンズ鏡筒にカメラを取り付けるためのカメラ取付用部品であって、
前記接眼レンズ鏡筒の前記段差と観察側端面とを挟んで配置され、前記段差と前記観察側端面とを接眼レンズの光軸方向に圧縮するように互いに嵌合することにより、前記接眼レンズ鏡筒の前記段差側および前記観察側端面にそれぞれ固定される第１および第２の部品と、
一端が前記第２の部品と嵌合することにより、他端に取り付けられたカメラを前記接眼レンズ鏡筒に固定する第３の部品とを含むことを特徴とするカメラ取付用部品。
【請求項２】
請求項１に記載のカメラ取付用部品において、前記第３の部品は、前記一端の内側面の形状が、前記第２の部品の外側面の形状と予め定めたクリアランスで一致しており、前記第３の部品の前記一端の内側に前記第２の部品を挿入することにより、前記第２の部品と嵌合することを特徴とするカメラ取付用部品。
【請求項３】
請求項１または２に記載のカメラ取付用部品において、前記第１の部品と前記第２の部品との嵌合は、ねじ嵌合であることを特徴とするカメラ取付用部品。
【請求項４】
請求項１または２に記載のカメラ取付用部品において、前記第１および第２の部品のうちの一方の部品にはピンが備えられ、他方の部品にはガイドスリットが設けられ、前記ピンをガイドスリットに挿入させることにより、前記第１および第２の部品を嵌合させることを特徴とするカメラ取付用部品。
【請求項５】
請求項１または２に記載のカメラ取付用部品において、前記第１および第２の部品のうちの一方の部品は、少なくとも他方の部品と嵌合する部分が弾性部材により構成され、前記他方の部品を圧入することにより、前記第１および第２の部品を嵌合させることを特徴とするカメラ取付用部品。
【請求項６】
請求項５に記載のカメラ取付用部品において、前記嵌合する部分が弾性部材により構成される部品は、前記第１および第２の部品のうち、前記段差側に配置される部品であることを特徴とするカメラ取付用部品。
【請求項７】
請求項１に記載のカメラ取付用部品において、前記第１および第２の部品のうち、前記段差側に配置される部品は、前記接眼レンズ鏡筒と接する部分に弾性部材が配置されていることを特徴とするカメラ取付用部品。
【請求項８】
請求項７に記載のカメラ取付用部品において、前記第１および第２の部品のうち、前記段差側に配置される部品は、全体が弾性部材により構成されていることを特徴とするカメラ取付用部品。
【発明の詳細な説明】
【０００１】
【発明の属する技術分野】
この発明は、望遠鏡等の単眼鏡や双眼鏡に、カメラを取り付けるために用いる部品に関する。
【０００２】
【従来の技術】
従来より、望遠鏡で観察している画像を撮影する場合には、望遠鏡の接眼側に取付部品を用いてカメラを取り付け、撮影を行っている。例えば、接眼部を保護するキャップ取付用のねじ部が望遠鏡本体に備えられている望遠鏡では、キャップ取付用のねじ部に補助部品をねじ嵌合で取り付け、この補助部品にカメラ用アダプターを固定する構造のものが知られている。また、別の例として、カメラ用アダプターとして先端が筒状の部品を用い、この部品を接眼レンズ部を覆うように配置し、１〜３本のねじで接眼レンズ鏡筒に固定する構造のものが知られている。
【０００３】
【発明が解決しようとする課題】
しかしながら、上述のカメラ用アダプターの固定にキャップ取付用ねじ部を利用する構成は、キャップ取付用のねじ部を望遠鏡本体に備える望遠鏡でなければ適用できない。
【０００４】
また、カメラ用アダプターを接眼鏡筒に１〜３本のねじで固定する構造は、カメラの光軸と望遠鏡の光軸とを一致させる調整を上記１〜３本のねじの調整によって行う必要があり、光軸調整に手間がかかる。また、１〜３本のねじの先端が接眼鏡筒の外装に直接接触するため、外装にキズをつける可能性がある。さらに、１〜３本のねじで取り付けているため、カメラを使用しない場合の取り外しの作業が簡単ではない。また、接眼レンズ鏡筒の目当てが、繰り出し式目当ての場合、繰り出し式目当て部分はねじを固定する部分には適さないため、ねじを固定できる位置を確保しにくい。
【０００５】
本発明は、単眼鏡ならびに双眼鏡等において、繰り出し式の目当てを備えた接眼レンズ鏡筒であっても、強度を確保しながら簡単にカメラを着脱することのできるカメラ取付用部品を提供することを目的とする。
【０００６】
【課題を解決するための手段】
上記目的を達成するために、本発明によれば、以下のようなカメラ取付用部品が提供される。すなわち、外周に段差を備えた接眼レンズ鏡筒にカメラを取り付けるためのカメラ取付用部品であって、
前記接眼レンズ鏡筒の前記段差と観察側端面とを挟んで配置され、前記段差と前記観察側端面とを接眼レンズの光軸方向に圧縮するように互いに嵌合することにより、前記接眼レンズ鏡筒の前記段差側および前記観察側端面にそれぞれ固定される第１および第２の部品と、
一端が前記第２の部品と嵌合することにより、他端に取り付けられたカメラを前記接眼レンズ鏡筒に固定する第３の部品とを含むことを特徴とするカメラ取付用部品である。
【０００７】
上記カメラ取付用部品において、前記第３の部品は、前記一端の内側面の形状が、前記第２の部品の外側面の形状と予め定めたクリアランスで一致しており、前記第３の部品の前記一端の内側に前記第２の部品を挿入することにより、前記第２の部品と嵌合する構成にすることができる。
【０００８】
上記カメラ取付用部品において、前記第１の部品と前記第２の部品との嵌合は、ねじ嵌合である構成にすることできる。
【０００９】
上記カメラ取付用部品において、前記第１および第２の部品のうちの一方の部品にはピンが備えられ、他方の部品にはガイドスリットが設けられ、前記ピンをガイドスリットに挿入させることにより、前記第１および第２の部品を嵌合させる構成にすることができる。
【００１０】
上記カメラ取付用部品において、前記第１および第２の部品のうちの一方の部品は、少なくとも他方の部品と嵌合する部分が弾性部材により構成され、前記他方の部品を圧入することにより、前記第１および第２の部品を嵌合させる構成にすることができる。
【００１１】
上記カメラ取付用部品において、前記嵌合する部分が弾性部材により構成される部品は、前記第１および第２の部品のうち、前記段差側に配置される部品であるという構成にすることができる。
【００１２】
上記カメラ取付用部品において、前記第１および第２の部品のうち、前記段差側に配置される部品は、前記接眼レンズ鏡筒と接する部分に弾性部材が配置されている構成にすることができる。
【００１３】
上記カメラ取付用部品において、前記第１および第２の部品のうち、前記段差側に配置される部品は、全体が弾性部材により構成されていることが可能である。
【００１４】
【発明の実施の形態】
本発明の一実施の形態のカメラ取付用部品について説明する。
（第１の実施の形態）
本発明の第１の実施の形態のカメラ取付用部品は、図１のように望遠鏡の接眼レンズ１にデジタルカメラ等のカメラ１１０を取り付けるための部品である。
【００１５】
接眼レンズ１は、図１のように望遠鏡本体１０１にねじ部１ａを嵌合させて取り付けられる。また、接眼レンズ１は、接眼レンズ鏡筒１０４と目当て１０２とを有している。目当て１０２は、目当て環１０２ａと、目当て環１０２ａを覆うゴムカバー１０２ｂとを含み、目当て１０２の使用時には、目当て１０２の全体を回転させることにより、接眼レンズ１の光軸１０５に沿って観察側に繰り出し可能である。目当て１０２を繰り込んだときに目当て１０２の望遠鏡本体側端部と接する位置には、接眼レンズ鏡筒１０４にフランジ１０３が設けられている。よって、接眼レンズ鏡筒１０４の望遠鏡本体１０１寄りの首部１０４ａの外周面と、フランジ１０３の外周面とには段差がある。フランジ１０３の外周面にはローレットが刻まれており、ユーザは、フランジ１０３の外周面を保持して接眼レンズ鏡筒１０４を回転させることにより、ねじ部１ａを望遠鏡本体１０１に容易にねじ込むことができる。
【００１６】
本実施の形態のカメラ取付用部品は、繰り込まれた状態の目当て１０２の観察側端面１０６と、フランジ部１０３の望遠鏡本体側の端面１０７とを、光軸１０５方向に挟み込むことにより、補助部品２、３を接眼レンズ１に固定する。さらに、補助部品３の外周面にカメラ取り付け用アダプター４を嵌合させることにより、アダプター４を補助部品３に取り付けると同時に、アダプター４の中心を光軸１０５に一致させる。そして、固定ねじ５を締めることによりアダプター４の抜け落ちおよび周方向の回転を防止する構成である。
【００１７】
カメラ取付用部品の構成について具体的に説明する。カメラ取付用部品は、補助部品２と補助部品３とを有する。補助部品２は環状の部品であり、その内径は、フランジ１０３の外径よりも小さく、接眼レンズ鏡筒１０４の首部１０４ａの外径よりも大きい。また、補助部品２の内周面には、Ｏリング１０９が配置され、補助部材２がＯリングを介して接眼レンズ鏡筒１０４の外周面に接するように構成されている。Ｏリング１０９は、例えば１０％前後のつぶし代でつぶれるように補助部品２の内径やＯリング１０９の径が定めれられている。一方、補助部品３は筒状の部品であり、その内径は、フランジの外径および目当て１０２の外径よりもわずかに大きく構成されている。ただし、補助部品３の観察側端部は、内径が目当て１０２の外径よりも小さく絞られた突きあて部１０８となっている。また、補助部品２および補助部品３が接する部分には、互いをねじ嵌合させるためにねじ部２ａ、３ａが設けられている。なお、補助部品２、３の外周には、ローレットが刻まれている。
【００１８】
よって、補助部品２，３を接眼レンズ１に取り付ける際には、接眼レンズ１を望遠鏡本体１０１から一旦取り外して、接眼レンズ鏡筒１０４の望遠鏡本体側端部から首部１０４ａに補助部材２を通すとともに、逆側の観察側端部から補助部品３を通し、両者のねじ部２ａ、３ａをねじ嵌合させる。これにより、補助部品２と補助部材３の突きあて部１０８との間には、フランジ１０３と目当て１０２とが光軸１０５方向に圧縮されて挟み込まれ、補助部品２は、フランジ１０３の端面１０７に押しつけられ、補助部品３は、突きあて部１０８が目当ての観察側端面１０６に押しつけられる。補助部品２，３は、挟み込まれたフランジ１０３と目当て１０２の反発力によって接眼レンズ１に固定される。
【００１９】
接眼レンズ１に固定された補助部品３の外側には、アダプター４が取り付けられる。アダプター４は、望遠鏡本体側の内周面４ａが、補助部品３の外周面３ｂと、予め定められたクリアランス（例えば、０．０５ｍｍ〜０．１ｍｍ）で嵌合するように構成されている。また、アダプター４の内周面には段差４ｂが設けられており、この段差４ｂが補助部品３の突きあて部１０８に当たり、光軸１０５方向に位置決めされるように構成されている。よって、補助部品３にアダプター４を嵌合させるだけで、アダプター４の中心を、接眼レンズ１の光軸１０５に位置合わせすることができる。同時に、アダプター４の挿入深さも位置決めできる。また、補助部品３の外周には、溝１１１が周方向に形成されている。アダプター４には、溝１１１に相対する位置にねじ孔が設けられており、このねじ孔に固定ねじ５が嵌合している。よって、固定ねじ５を、先端が溝１１１の底面に達するまでねじ込むことにより、アダプター４の周方向への回転と、補助部品３からの抜け落ちを防止することができる。固定ねじ５には、アダプター４からの固定ねじ５が抜け落ちるのを防ぐためにエンドリング６が取り付けられている。本実施の形態では、固定ねじ５は１本であるが、２本以上にすることも可能である。
【００２０】
また、アダプター４のカメラ１１０側の筒状部の長さＬは、カメラ１１０のレンズ１１０ａの繰り出し長さを考慮して、レンズ１１０ａを接眼レンズ１に接触させることなく、かつ、接眼レンズ１にできるだけ接近させることができる長さに設定されている。アダプター４のカメラ１１０側の端部には、カメラ１１０の前枠ねじ部もしくはカメラ１１０に取り付けられた部品のねじ部と嵌合するねじ部１１２が設けられている。
【００２１】
よって、カメラ１１０の前枠ねじ部等に、アダプター４のねじ部１１２を嵌合させてアダプター４を取り付け、アダプターを接眼レンズ１に固定された補助部品４に、段差４ｂが突き当たるまで挿入することにより、カメラ１１０を接眼レンズ１に取り付けることが出来る。このとき、アダプター４の内周面４ａと補助部品３の外周面３ｂとの嵌合により、カメラ１１０の光軸を接眼レンズ１の光軸１０５に位置合わせすることができる。この状態で、カメラ１１０の水平位置を位置決めし、固定ねじ５を締め付ける。これにより、アダプター４の回転および補助部品３からの抜け落ちを防止する。なお、カメラ１１０の水平位置を修正したい場合には、固定ねじ５をゆるめ、位置修正後再び固定ねじ５を締め直すことにより、カメラ１１０の水平位置を修正できる。
【００２２】
また、カメラ１１０で撮影後、目視で接眼レンズ１から観察したい場合には、固定ねじ５をゆるめ、アダプター４を補助部品３から外すことにより、接眼レンズ１からカメラ１１０をアダプター４とともに取り外す。そして、補助部品３を補助部品２に対して回転させて、ねじ３ａとねじ２ａとのねじ嵌合を外した後、補助部品３を観察側に引き抜いて接眼レンズ１から取り外す。これにより、目当て１０２が繰り出し可能になる。よって、必要に応じて目当て１０２を繰り出して、目視で観察することができる。このとき、補助部品２は、接眼レンズ１の首部１０４ａに取り付けられたままであるが、観察には支障がない。また、補助部品２と首部１０４ａとの間にＯリング１０９が挟まっているため、望遠鏡を移動させた場合であっても、補助部品２が接眼レンズ１の首部１０４ａでガタついたり振動するのを防止できる。再び、カメラ１１０を取り付けたい場合には、接眼レンズ１の目当て１０２を繰り込み、補助部品３を接眼レンズ１の観察側端部から挿入してねじ３ａを補助部品２のねじ２ａと嵌合させ、補助部品３を接眼レンズ１に固定する。この後、カメラ１１０の付いたアダプター４を、補助部品３に嵌合させ、固定することにより、カメラ撮影が可能になる。
【００２３】
本実施の形態のカメラ取付用部品は、接眼レンズ１のフランジ１０３の段差を利用して、フランジ１０３と接眼レンズ１の観察側の端面とを挟み込むことにより、補助部品２，３を接眼レンズ１に固定する。これにより、接眼レンズ１にねじを接触させることなく、補助部品２，３を固定することが出来る。また、図１のように繰り出し式の目当て１０２を備えた接眼レンズ１であっても、補助部品を固定することができる。また、固定した補助部品３にアダプター４を嵌合させることによりカメラ１１０を固定するため、補助部品３とアダプター４とのクリアランスで、接眼レンズ１の光軸１０５とアダプター４の中心軸を一致させることができる。よって、繰り出し式の目当て１０２を備えた接眼レンズ鏡筒であっても、強度を確保しながら、かつ、光軸調整も容易にカメラを着脱することができる。
【００２４】
また、本実施の形態では、アダプター４および補助部品３を接眼レンズ１から取り外すことにより、容易に目視で観察できる状態に戻すことができる。しかも、補助部品２と接眼レンズ１の首部１０４ａとの間にＯリング１０９を挟んでいるため、補助部品２を取り外さなくてもガタつきが生じず、観察に支障がない。
（第２の実施の形態）
本発明の第２の実施の形態のカメラ取付用部品について説明する。第２の実施の形態のカメラ取付用部品は、第１の実施の形態の図１のカメラ取付用部品と同様の構成であるが、図２のように、補助部品２と補助部品３との嵌合部の構造が図１の構造とは異なっている。
【００２５】
第２の実施の形態では、図２のように、補助部品２の嵌合部の外周にピン２ｂを２箇所以上設け、補助部品３側には、ピン２ｂと対応する位置にそれぞれガイドスリット３ｃを設けている。補助部品３のガイドスリット３ｃは、補助部品３の端部にピン２ｂを挿入するための開口部を有し、開口部から光軸１０５方向に切り込まれた後、周方向に向けて屈曲している。周方向に屈曲した部分は、観察側へらせんの一部を描くように傾斜した形状に形成されており、ピン２ｂがこの屈曲した部分を通過することにより、補助部品２と補助部品３とが引き寄せられ、接眼レンズ１のフランジの端面１０７と目当ての端面１０６とを光軸１０５方向に圧縮して挟み込むことができる。これにより、第１の実施の形態と同様に、補助部品２と補助部品３とを接眼レンズ１に固定することが出来る。他の構成は、第１の実施の形態と同じであるので説明を省略する。
【００２６】
第２の実施の形態のカメラ取付用部品は、補助部品２と補助部品３とを嵌合させる際に、補助部品３を回転させる角度がガイドスリット３ｃの長さに相当する角度のみでよいため、補助部品２，３の嵌合が容易になるという効果が得られる。
（第３の実施の形態）
本発明の第３の実施の形態のカメラ取付用部品について説明する。第３の実施の形態のカメラ取付用部品は、第１の実施の形態の図１のカメラ取付用部品と同様の構成であるが、図３，図４のように、補助部品２と補助部品３との嵌合部の構造が図１の構造とは異なっている。
【００２７】
第３の実施の形態では、補助部品２全体をゴム、エラストマーなどの弾性変形をする軟質材により形成する。補助部品２と補助部品３との嵌合部の構造は、図３、図４のように、補助部品２側に設けた突起２０４ｃを、補助部品３側に設けた突起２０３ａに引っ掛けることにより嵌合させる。なお、補助部品３は、弾性変形する軟質材ではなく、金属やプラスチック等の硬質材により形成する。よって、補助部品３を補助部品２に嵌合させる際には、突起２０３ａを補助部品２の突起２０４ｃに押し当て、突起２０４ｃを押しつぶしながらお互いが引っ掛かるまで圧入する。
【００２８】
また、第１の実施の形態のＯリング１０９に代えて、軟質材により補助部品２と一体に形成した凸部２０４ａを備える構成とした。また、補助部品２がフランジ１０３と接触する部分にも、軟質材により補助部品２と一体に形成した凸部２０４ｂを配置した。軟質材の凸部２０４ｂを配置したことにより、突起２０３ａと突起２０４ｃとを単純に掛け合う構成であっても、補助部品２と補助部材３との間にフランジ１０３と目当て１０２とを光軸１０５方向に圧縮して挟み込むことができ、補助部品２，３を接眼レンズ１に固定することができる。他の構成は、第１の実施の形態と同じであるので説明を省略する。
【００２９】
第３の実施の形態のカメラ取付用部品は、補助部品２と補助部品３とを嵌合させて固定する際に、補助部品３を回転させる必要がなく、補助部品２に圧入する動作でよいため、補助部品２，３の固定の動作が容易になる。また、補助部品２の全体が軟質材で形成されているため、補助部品２を接眼レンズ１に付けたままにしておいても、フランジ１０３や望遠鏡本体１０１と接して音を立てたり、傷を付けたりする恐れが小さい。よって、補助部品２を接眼レンズ１に付けたままにしても違和感がなく、その状態で目視で観察を行い、必要に応じてカメラを取り付けるという用途に適する。
【００３０】
なお、上述の第１、第２、第３の実施の形態の補助部品２を接眼レンズ１に対して着脱可能としたが、接眼レンズ鏡筒１０４に補助部品２を予め固定した構成や、接眼レンズ鏡筒１０４と補助部品２とを一体に形成した構成にすることも可能である。また、アダプター４を、補助部品３への嵌合部分と、カメラレンズが挿入される筒状部分等のように複数の部分に分割した構成にすることも可能である。
【００３１】
また、本実施の形態では、望遠鏡用のカメラ取付用部品について説明してきたが、本実施の形態のカメラ取付用部品は、双眼鏡や他の単眼鏡にも適用可能である。
【００３２】
【発明の効果】
上述してきたように、本発明によれば、繰り出し式の目当てを備えた接眼レンズ鏡筒であっても、強度を確保しながら簡単にカメラを着脱することのできるカメラ取付用部品を提供することができる。
【図面の簡単な説明】
【図１】図１は、本発明の第１の実施の形態のカメラ取付用部品が、望遠鏡の接眼レンズ１に取り付けられた状態を示す断面図である。
【図２】図２は、本発明の第２の実施の形態のカメラ取付用部品の補助部品２，３の嵌合部の構成を示す説明図である。
【図３】図３は、本発明の第３の実施の形態のカメラ取付用部品の補助部品２，３の構成を示す断面図である。
【図４】図４は、図３のＡ−Ａ断面図である。
【符号の説明】
１…接眼レンズ、２…補助部品、２ｂ…ピン、３ｃ…ガイドスリット、３…補助部品、４…アダプター、５…固定ねじ、６…エンドリング、１０１…望遠鏡本体、１０２…繰り出し式目当て、１０３…フランジ、１０４…接眼レンズ鏡筒、１０４ａ…首部、１０５…光軸、１０８…突きあて部、１０９…Ｏリング、１１０…カメラ、１１１…溝、２０３ａ…突起、２０４ａ…凸部、２０４ｂ…凸部、２０４ｃ…突起。
【図１】
0003970670.tif 000002
【図２】
0003970670.tif 000003
【図３】
0003970670.tif 000004
【図４】
0003970670.tif 000005